(57)【特許請求の範囲】
【請求項１】
浮遊空間の下部より送風装置により空気を吹き上げ浮遊者を空中に浮遊させ、上部排気通路より外部に空気を排出する自由降下模擬用竪型風洞と、前記送風装置入側に接続された建屋排気ダクトと、前記送風装置の出側に接続された出側排気通路と、前記浮遊空間下部の空気流入口に設けられこの空気流入口の開閉を行なうダンパと、を備えたことを特徴とする複合型排気装置。
【請求項２】
前記建屋排気ダクトには外気取り入れ用ダクトが接続され、この外気取り入れ用ダクトにはダンパが設けられ、前記空気流入口のダンパと連動して開閉されることを特徴とする請求項１記載の複合型排気装置。
【発明の詳細な説明】
【０００１】
【発明の属する技術分野】
本発明は、落下傘降下の訓練などのため、降下速度を模擬した風速で降下者を吹き上げ空中に浮遊させる自由降下模擬竪型風洞と建屋の排気装置を組み合わせた複合型排気装置に関する。
【０００２】
【従来の技術】
落下傘による降下では、最初から開傘紐を引いて降下する場合もあるが、スカイダイビングなどのように、先ず自由降下状態で降下姿勢を制御して降下目標地点付近まで到達し、しかる後開傘して降下し、着地する場合もある。このような自由降下状態を訓練するため自由降下模擬竪型風洞が使用されている。
【０００３】
図２は従来用いられている自由降下模擬竪型風洞の一例を示す。なお、本出願人の特願平７−１３２１４４号にも同様な風洞が開示されている。同図において、風洞は円または多角形の外筒１と内筒２からなる。外筒１は底部３と頂板４で覆われ、外筒１と内筒２間の空間は給気通路５を形成する。給気通路５は底部３で水平となり、外筒１、内筒２の中心軸上に設けられた送風通路６に接続する。送風通路６の上部には自由降下模擬状態を行なう浮遊室７が設けられ、この浮遊室７の上部に排風通路８が接続している。
【０００４】
給気通路５の上部には給気口９が設けられ、空気を吸入し消音器１０を通過して送風通路６に流入する。送風通路６には軸流送風機１１が設けられ、吸入した空気を加速し浮遊室７で浮遊者を浮遊させるに必要な速度にする。送風機１１の出口側には整流用ハニカム１２が設けられ、この上に浮遊室７に斜流や変動風を発生させ実際の状況を模擬する斜流／変動風発生翼１３が設けられている。送風通路６の出口には、落下防止用ネット１４が二重に張られている。浮遊室７の頂部には吸引防止用ネット１５が設けられ浮遊者を保護している。排風通路８は浮遊室７から出た１本の垂直通路が上部で複数本、例えば６〜８本に分かれ、合計断面積を垂直路の６〜８倍にし、流速を１／６〜１／８にして出口に設けられた消音器１０が効果的に働くようにしている。
【０００５】
【発明が解決しようとする課題】
このような風洞装置が娯楽用装置として娯楽施設に設けられる場合がある。娯楽施設は大きな建屋の中に室内競技場やゲームセンターなどが設けられ、大掛かりな換気装置が設けられている。この換気装置には排気装置があり大掛かりな排気ダクトや排気送風機が設けられている。風洞装置の送風機は大容量のものが用いられるが、その使用頻度は小さい。このため風洞装置と排気装置でそれぞれ別個に送風機を備えることは、設備費や保守費が嵩むことになる。
【０００６】
本発明は、かかる問題点に鑑みてなされたもので、風洞装置と建屋排気装置の送風機を兼用とした経済性のよい複合型排気装置を提供することを目的とする。
【０００７】
【課題を解決するための手段】
上記目的を達成するため、請求項１の発明では、浮遊空間の下部より送風装置により空気を吹き上げ浮遊者を空中に浮遊させ、上部排気通路より外部に空気を排出する自由降下模擬用竪型風洞と、前記送風装置入側に接続された建屋排気ダクトと、前記送風装置の出側に接続された出側排気通路と、前記浮遊空間下部の空気流入口に設けられこの空気流入口の開閉を行なうダンパと、を備える。
【０００８】
風洞用送風機入側に建屋の排気ダクトを接続し建屋の排気を吸引するようにする。また送風機出側には浮遊空間に流れる流路と分岐して出側排気路を設ける。浮遊空間下部の空気流入口にはこの流入口を開閉するダンパを設ける。これにより、ダンパを閉じたときは、送風機は建屋の排気送風機として働き、ダンパを開放したときは送風機からの空気は出側排気路と浮遊空間の両方に流れ、排気及び風洞送風機として働く。
【０００９】
請求項２の発明では、前記建屋排気ダクトには外気取り入れ用ダクトが接続され、この外気取り入れ用ダクトにはダンパが設けられ、前記空気流入口のダンパと連動して開閉される。
【００１０】
排気と浮遊空間への空気供給が並行して行われる場合は、建屋から供給される排気量だけでは空気流量が不足する。このため外気取り入れ用ダクトを設ける。この外気取り入れ用ダクトにはダンパを設け、空気流入口のダンパと連動して開閉される。これにより浮遊空間にも送風する場合、空気流量の不足は起こらない。
【００１１】
【発明の実施の形態】
以下本発明の実施形態について、図面を参照しつつ説明する。図２と同一の符号は同一の機能を有する部材や装置を示す。図１は実施形態の複合型排気装置を示す。同図において、風洞は円または多角形の外筒１と内筒２からなる。外筒１は底部３と頂板４で覆われ、外筒１と内筒２間の空間の一部は排気通路２６を形成する。排気通路２６は下部で外筒１、内筒２の中心軸方向に曲がり、この中心軸上に設けられた送風通路６に接続する。送風通路６は下部で半径外方向に広がり建屋排気ダクト２０に接続する。送風通路中心軸上に軸流送風機１１が設けられている。建屋排気ダクト２０の一部には外気取り入れダクト２３が設けられており、外気取り入れ口２４より外気を取り入れる。ダクト内部には外気用ダンパ２５が設けられている。
【００１２】
送風通路６の直上には空気流入口２１が設けられ、自由降下模擬状態を行なう浮遊室７に空気を導入する。空気流入口２１にはダンパ２２が設けられ、浮遊室７への空気の導入および遮断を行う。このダンパ２２は外気用ダンパ２５と連動し同時に開放または閉鎖を行う。空気流入口２１には、整流用ハニカム１２が設けられ、その上に浮遊室７に斜流や変動風を発生させ実際の状況を模擬する斜流／変動風発生翼１３が設けられている。さらにこの上方に落下防止用ネット１４が二重に張られている。
【００１３】
浮遊室７の上部には吸引防止用ネット１５が設けられ、この上部に排風通路８が接続している。排風通路８は浮遊室７から出た１本の垂直通路が上部で複数本、例えば６〜８本に分かれ、合計断面積を垂直路の６〜８倍にし、排気口１６より排出する排気の流速を１／６〜１／８にして出口に設けられた消音器１０が効果的に働くようにしている。なお排気口２７の内側にも消音器１０が設けられ排気の消音を行っている。
【００１４】
次に動作について説明する。建屋からの排気のみ行う場合は、空気流入口２１のダンパ２２および外気用ダンパ２５は閉鎖しておき、軸流送風機１１は建屋からの排気を排気口２７より排出する。浮遊室７での浮遊を行うときは、ダンパ２２、外気用ダンパ２５を開放し軸流送風機１１の出力を上げる。このとき送風機１１の流速は浮遊室７で浮遊者を浮遊させるに必要な速度、例えば７０ｍ／ｓｅｃ程度にする。ダンパ２２の全開時の開度は排気通路２６へ流れる流量が排気を単独に行なう場合とほぼ同じくなるようにしてあり、ダンパ２２の開放によって建屋の排気系に及ぼす影響を少くしている。つまり浮遊室７に送られる風量はほぼ外気取り入れ用ダクト２３から取り入れるようになっている。浮遊室７で浮遊を行なうときは、斜流／変動風発生翼１３を操作して斜めの風を発生させたり、流速を変動させて、実際の降下状況を模擬している。
【００１５】
【発明の効果】
以上述べたように、本発明によれば、自由降下を模擬する風洞装置と建屋の排気装置を組み合わせることにより、設備費や保守費を低減することができ、経済性の優れた複合排気装置を提供することができる。
【図面の簡単な説明】
【図１】本発明の自由降下模擬用風洞と建屋排気系を複合した構成図である。
【図２】従来の自由降下模擬用風洞単独の構成図である。
【符号の説明】
１  外筒
２  内筒
３  底部
４  屋根
６  送風通路
７  浮遊室
８  排気通路
１０  消音器
１１  送風機
１２  整流用ハニカム
１３  斜流／変動風発生翼
１４  落下防止用ネット
１５  吸込防止用ネット
１６  排気口
２０  建屋排気ダクト
２１  空気流入口
２２  ダンパ
２３  外気取り入れ用ダクト
２４  外気取り入れ口
２５  外気用ダンパ
２６  排気通路
２７  排気口
【図１】
0003873369.tif 000002
【図２】
0003873369.tif 000003